(57)【要約】  本発明は、複数のセクション（１〜３）を伴う衝立用装置に関する。前記複数のセクションは、互いに対して折り畳み可能及び／または回動し、協働して仕切りを形成し、固定された固定セクション（１）及び当該固定セクション（１）に対して回動する二つのセクション（２，３）、または、１つの固定セクション及び互いに対して折り畳み可能または回動する複数の折り畳み−回動セクションを含んでいる。前記固定セクション（１）は、足部（７）に取り付けられており、当該足部（７）は、支持基板（９）を有している。前記支持基板（９）は、前記支持基板（９）の少なくとも上部側の直接的な接触や、場合によっては前記支持基板（３６）の縁部の大部分の直接的な接触をも防ぐために、フード（３６）によって覆われている。
2013525638.tif 000002
【特許請求の範囲】
【請求項１】
互いに対して折り畳み可能及び／または回動する、仕切りを形成する複数のセクション（１〜３）を備えた衝立用装置であって、
１つの固定セクション（１）及び当該固定セクション（１）に対して回動する２つの回動セクション（２，３）、または、１つの固定セクション及び互いに対して折り畳み可能または回動する複数のセクションであって前記固定セクションに回動するように取り付けられている複数の折り畳み−回動セクション
を備え、
前記固定セクション（１）は、足部（７）上に取り付けられており、
前記足部（７）は、支持基板（９）を有しており、
前記支持基板（９）には、実質的に、前記回動セクションまたは前記折り畳み−回動セクションの切り替えの際、及び、前記回動セクションまたは前記折り畳み−回動セクションの接触の際に生じる転倒力に対して反作用を及ぼすための手段（１８，１９，２０，２１，４７，４８）が設けられており、
前記支持基板（９）は、少なくとも前記支持基板（９）の上側部の直接的な接触や、場合によっては前記支持基板（９）の縁部の大部分の直接的な接触をも防ぐためのフード（３６）によって覆われている
ことを特徴とする衝立用装置。
【請求項２】
前記支持基板（９）は、大まかには矩形（１０，１１，１２，１３）であるが、その１つの長手側部上に湾曲部（１７）を有している
ことを特徴とする請求項１に記載の装置。
【請求項３】
前記湾曲部（１７）は、前記長手側部の隅部から前記支持基板（９）の中央部に向かって内方へ延びている
ことを特徴とする請求項２に記載の装置。
【請求項４】
前記湾曲部（１７）は、円弧状であり、前記支持基板（９）の中央部を通過するように延びている
ことを特徴とする請求項３に記載の装置。
【請求項５】
前記湾曲部（１７）の形成の際に得られる湾曲材料が、複数のカウンタ重り（１８，１９，２０，２１，４７，４８）に分割されている
ことを特徴とする請求項２乃至４のいずれかに記載の装置。
【請求項６】
前記カウンタ重り（１８，１９，２０，２１，４７，４８）は、転倒力に対して反作用を及ぼす位置に固定されている
ことを特徴とする請求項５に記載の装置。
【請求項７】
少なくとも１つのカウンタ重り（１８，１９，２０，２１，４７，４８）が、前記矩形の支持基板（９）の各短手側部（１４，１５）に固定されている
ことを特徴とする請求項３、５及び６のいずれかに記載の装置。
【請求項８】
前記湾曲材料は、４つのカウンタ重り（１８，１９，２０，２１）に分割されており、
前記カウンタ重り（１８，１９，２０，２１）は、前記支持基板（９）の前記短手側部（１４，１５）及び前記湾曲部（１７）の間の各隅部に対になって固定されている
ことを特徴とする請求項５に記載の装置。
【請求項９】
前記湾曲材料は、２つのカウンタ重り（４７，４８）に分割されており、
前記カウンタ重り（４７，４８）は、前記支持基板（９）上の１つの短手側部に固定されている
ことを特徴とする請求項５に記載の装置。
【請求項１０】
前記足部（７）及び／または前記支持基板（９）には、各隅部において車輪（８）が設けられており、
前記車輪（８）は、旋回車であり、
前記車輪（８）の少なくとも１つには、ブレーキが設けられている
ことを特徴とする請求項１乃至９のいずれかに記載の装置。
【発明の詳細な説明】
【技術分野】
【０００１】
本発明は、添付の特許請求の範囲に記載の請求項１の前段に係る装置に関する。
【０００２】
主として医療の場面では、一般病棟の問題であるか、集中治療用の病棟の問題であるか、術後回復用の病棟の問題であるか、救急病棟の問題であるかに関わらず、一般に、患者の周囲の自由なスペースはほとんどない。それ故、患者のすぐ近くで可能な限りコンパクトになりユーザーフレンドリーであることが必要とされる製品を設計することが最も重要なことである。さらに、高い衛生基準を守ることができるということが、重要性を増しつつある。異なる高さで使用可能な基本的に２つのタイプの堅固な衝立が存在する。別個の部分からなる１つの衝立を形成するように複数のセクションをなして開かれ、またＩＶＡレールによって壁上に取り付けられるか完全に可動とするために台車上に取り付けられた、コンパクトな折り畳み式衝立が存在する。さらに、２つの翼部またはセクションが１つの衝立またはサイトスクリーンを形成するように開く三連の衝立が存在する。このように、この分野においては、前述の要求及び必要性を満足するように従来技術の完全性（整合性）を保護する間仕切りシステムを適合させる高い必要性が存在する。
【０００３】
本発明の基礎を形成する課題は、前述の必要性を満たすことである。
【０００４】
この課題は、導入の目的で開示された装置において、添付の特許請求の範囲の請求項１に記載された特徴が与えられた本発明に従って解決される。
【０００５】
本発明は、同じ全重量且つ同じ転倒抵抗性を有しつつ、スペース要求を削減するように作成された、支持基板と、最適に位置決めされた重りと、カバーフードと、を備えた装置を実現する。安全性を脅かすことなくスペース要求を削減することが可能であることは、患者の観点から望ましく必要な目隠し及び施されるケアが効果を完全に発揮することができるか否かに対して、多くの場合に決定的である。本発明に係る装置は、重りを位置決めすることにより、前方への転倒及び後方への転倒の両方、並びに、右方への転倒及び左方への転倒のための転倒防止の最適化を可能にする。このことは、異なる高さの衝立に対しても最適化される。本発明に係る装置は、様々な衝立のための同じカバーフードの使用を対象としている。本発明に係る装置の支持基板は、堅固な構造体を形成すると同時に、当該支持基板の表面であってケアスタッフや患者が接触し得る表面が、なだらかで柔らかい設計が施され得る。本発明に係る装置は、接合部が下側にだけ配置された状態で、上側及び下側の両方において滑らかな表面を実現することがでる。このことは、また、表面を簡単に拭くことができるということ意味しており、これによって衛生状態が向上されることを意味する。基板及び基板上のフードの比較的大きな内側湾曲部は、衝立に、折り畳み式衝立の組み立て及び移動の際に自然でコンパクトなホームポジションを授ける。本発明による装置を備えた三連の衝立においては、大きな内側湾曲は、衝立の移動の際に歩行者の脚のための自然なスペースを形成し、狭いスペースにおいては、ケアを行う者は、必要なケアを提供するために湾曲部によって作られたスペースに立つことができる。
【０００６】
本発明による装置の実施の形態が、添付の図面を参照して以下に詳細に記載される。
【図面の簡単な説明】
【０００７】
【図１】図１は、三連の衝立に関する本発明による装置の一実施の形態を示す写実的な図である。
【図２】図２は、さらに多くのセクションを有する折り畳み式衝立に関する本発明による装置の一実施の形態を示す写実的な図である。
【図３】図３は、図２におけるよりも高い折り畳み式衝立に関する本発明による装置の同じ実施の形態を示す図２と同様の図である。
【図４】図４は、図１に示す本発明による装置の実施の形態の下部領域をより大きなスケールで示す写実的な図である。
【図５】図５は、図２に示す本発明による実施の形態の下部領域をより大きなスケールで示す写実的な図である。
【図６】図６は、図１及び図４に示された本発明による装置の実施の形態の一部を上方から見た図である。
【図７】図７は、図１及び図４に示された本発明による装置の実施の形態の他の部分を上方から見た図である。
【図８】図８は、図７におけるＡ−Ａ線に沿った断面図である。
【図９】図９は、図２、図３及び図５に示された本発明による装置の実施の形態の一部を上方から見た図である。
【図１０】図１０は、図２、図３及び図５に示された本発明による装置の実施の形態の他の部分を上方から見た図である。
【図１１】図１１は、図１０におけるＡ−Ａ線に沿った断面図である。
【発明を実施するための形態】
【０００８】
図１及び図４に示された本発明による装置は、３つのセクション１，２及び３を有する衝立を支持している。セクション１は、固定されているが、セクション２は、図１における固定セクション１の左手縁部に回動するようにまたは回転可能に取り付けられており、セクション２には下部隅部において摩擦接合部４が設けられ得る。摩擦接合部４は、スウェーデン国特許公報第０４０１１７１−４／５３００６５号の対象であるタイプのものでよい。セクション３は、セクション２と同じ方式で取り付けられているが、図１及び図４の固定セクション１の右手縁部であって固定セクション１の後ろ側に取り付けられているため、図１及び図４においてその全体を見ることはできないが、原理上はその下部隅部において摩擦接合部４のみを見ることができる。
【０００９】
固定セクション１は、固定セクション１の縁部に沿って延びる２つのポスト５及び６上に取り付けられている。ポスト５及び６は、足部７から延びており、その中に固定されている。本実施の形態においては、足部７には、各隅部において旋回車またはキャスター８が設けられており、少なくとも１つの車輪８には、ブレーキ機構が設けられており、当該ブレーキ機構は、フットペダルを用いて容易に係合及び解放される。車輪８は、それ自体は公知のタイプのものであり、もちろん、すべての車輪８にブレーキが設けられることを妨げるものは何もない。
【００１０】
足部７は、図６により詳細に示されており、大まかには矩形形状を有する基板９を有しており、４つの隅部１０，１１，１２及び１３を有している。それぞれ隅部１０及び１１の間並びに隅部１２及び１４の間の短手側部１４及び１５と、隅部１１及び１２の間の長手側部１６と、は、なだらかな円弧状である一方、隅部１０及び１３の間の長手側部は、大きく内側に向けて湾曲した湾曲部１７を示している。湾曲部１７は、円弧状であり、基板９の中央を通過するように延びている。湾曲部１７内の材料は、４つの重り１８，１９，２０及び２１を実現するために用いられている。重りは、実質的に同じ大きさであり、大まかには同じ形状を有している。隅部１０の内側において、基板９は、重り１８〜２１のうちの２つのための重り輪郭形状部２２を有している。そして、隅部１３の内側において、基板９は、重り１８〜２１のうちの２つのための重り輪郭形状部２３を有している。各隅部１０，１１，１２及び１３内に、基板９は、車輪の軸のための穴部２４，２５，２６及び２７を有している。重り１８，１９，２０及び２１は、それぞれ、重り輪郭形状部２２及び２３内の対応する穴部３２及び３３並びに適当な固定装置、例えばボルトと協調する固定穴部２８，２９，３０及び３１を有している。短手側部１４において、基板９は、ポスト５を適当な手段、例えばポスト、ワッシャ及びナットからの軸体（ｓｔｕｂ  ｓｈａｆｔ）で固定するための穴部３４を有している。短手側部１５において、基板９は、ポスト６を適当な手段、例えばポスト、ワッシャ及びナットからの軸体（ｓｔｕｂ  ｓｈａｆｔ）で固定するための穴部３５を有している。
【００１１】
基板９及び重り１８，１９，２０及び２１は、有利には、約８ｍｍの厚さのシート状スチールから製造され、このことは、図１及び図４の可動式衝立における予想されるバランスにとってしごく十分であることが分かっている。
【００１２】
図７及び図８は、基板９及び重り１９〜２１のためのフード３６を示しており、図８は、図７のＡ−Ａ線に沿った断面図である。フード３６は、重り１８〜２１を伴う基板１９上にぴったりと適合する。フード３６は、実質的に基板９と同じ外側輪郭形状及び内側輪郭形状を有しており、言わば、基板を包み込んでいる。各隅部内で、フード３６は、フード３６が車輪８上の適当なボルトまたはネジが形成された軸体（ｓｔｕｂ  ｓｈａｆｔ）によって基板９上に固定可能であるように、基本的に基板９内の穴部２４〜２７の真上にネジ挿入部３７，３８，３９及び４０を有している。フード３６は、さらに、ポスト５のための穴部４１と、ポスト６のための穴部４２と、を有している。
【００１３】
フード３６は、適当なプラスチック材料から適切に製造されており、滑らかな丸みを帯びたなだらかなデザインを有している。
【００１４】
図２及び図５に示されている本発明に係る装置は、例えばそれ自体は公知のタイプの３つ乃至５つのセクションからなる折り畳み式衝立であり、これらのセクションは、スウェーデン国特許公報第９８０３９１１−８／５１３２８２号の対象であるタイプの連結部によって、互いに対して折り畳み可能にまたは回動するように相互連結されている。第１セクションは、２つのポスト４３及び４４上に取り付けられており、図１、図４及び図６の実施の形態に関連して前述された足部と実質的に同じタイプの足部７内に固定されている。セクションには、支持車輪４５及び４６が設けられている。
【００１５】
異なる実施の形態における同様の部分は、同様の参照符号が付されている。
【００１６】
図９は、実質的に前述の基板と同じ基板９を示しているが、２つだけの重り４７及び４８が、湾曲部１７内の材料から形成されている。２つの重り４７及び４８は、重り輪郭形状部４９を対象としている。その中の穴部と基板の重り輪郭形状部４９内の穴部とは、互いに整列され、基板９上における重り４７及び４８の固定を対象としている。基板９は、２つの穴部５０及び５１をそれぞれポスト４３及び４４の一方のために有している。図２、図３及び図５の折り畳み式衝立は、重りがカウンタ重りとして機能するように、穴部５０内に固定されたポスト４３から始まっている。
【００１７】
図９に示された基板９のための図１０及び図１１に示されたフード３６は、ポストのための穴部４１及び４２が穴部５０及び５１の真上の位置に移動されていることを除いて、図７の基板９のためのフード３６と同じである。
【００１８】
図３の実施の形態は、折り畳み式衝立が図２のものより高いことを除いて、図２及び図４の実施の形態と同様である。本発明に係る装置は、この背の高い折り畳み式パーティションにも適合することができる。
【００１９】
多くの変更が、添付の特許請求の範囲に規定された本発明の概念の範囲から離れることなく、当然に想定される。
【図１】
2013525638.tif 000003
【図２−３】
2013525638.tif 000004
【図４】
2013525638.tif 000005
【図５】
2013525638.tif 000006
【図６】
2013525638.tif 000007
【図７−８】
2013525638.tif 000008
【図９】
2013525638.tif 000009
【図１０−１１】
2013525638.tif 000010
【国際調査報告】
2013525638.tif 000011
2013525638.tif 000012
2013525638.tif 000013
2013525638.tif 000014